(57)【要約】【課題】  装置内部の湿度を制御することで、ヘッド摩耗力を調整でき、ヘッド付着を防止することができる磁気記録装置を提供する。【解決手段】  磁気テープＴに磁気記録又は磁気再生を行う磁気記録再生部１２と、装置の内部の湿度を測定する湿度測定部１２と、装置の外部から内部に空気を取り込む吸気部１５とを備え、吸気部１５には取り入れた空気を装置の内部に供給する空気口１５ａが設けられ、空気口１５ａが加湿フィルタ１６ａと除湿フィルタ１６ｂと湿度を維持した状態で空気を通過させる通気部１６ｃとで仕切られ、湿度測定部１４で測定された湿度に基づいて、加湿フィルタ１６ａと除湿フィルタ１６ｂと通気部１６ｃとのうちいずれかを通過する空気の流量を調整する空気量調整部１７が設けられている。【選択図】  図１
2005302218.tif 000002
【特許請求の範囲】
【請求項１】
磁気テープに磁気記録及び磁気再生を行うための磁気記録装置であって、
前記磁気テープに磁気記録又は磁気再生を行う磁気記録再生部と、
装置の内部の湿度を測定する湿度測定部と、
装置の外部から内部に空気を取り込む吸気部とを備え、
前記吸気部には取り入れた空気を装置の内部に供給する空気口が設けられ、前記空気口が加湿フィルタと除湿フィルタと湿度を維持した状態で空気を通過させる通気部とで仕切られ、前記湿度測定部で測定された湿度に基づいて、前記加湿フィルタと前記除湿フィルタと前記通気部とのうちいずれかを通過する空気の流量を調整する空気量調整部が設けられていることを特徴とする磁気記録装置。
【請求項２】
磁気テープに磁気記録及び磁気再生を行う際に、磁気記録装置の内部の湿度を調整する磁気記録方法であって、
前記磁気記録装置の内部の湿度を測定し、前記磁気記録装置の外部から取り入れた空気を、加湿フィルタと除湿フィルタと湿度を維持した状態で空気を通過させる通気部とで仕切られた空気口から吸気するとともに、前記測定された湿度に基づいて、前記加湿フィルタと前記除湿フィルタと前記通気部とのそれぞれから吸気する空気の流量を調整して前記磁気記録装置の内部の湿度を調整することを特徴とする磁気記録方法。
【発明の詳細な説明】
【技術分野】
【０００１】
本発明は、磁気記録装置に関し、特に、装置外部の湿度に応じて装置内部の湿度を調整することができる磁気記録装置に関する。
【背景技術】
【０００２】
従来、ビデオテープレコーダ（ＶＴＲ）、デジタルオーディオテープレコーダ（Ｒ−ＤＡＴ）等の磁気記録及び磁気再生を行う磁気記録装置（以下、単に装置ともいう。）には、円筒形の磁気ヘッドを回転させて走行する磁気テープへ情報を書き込むことや磁気テープから情報を読み込む、所謂ヘリカルスキャン方式のものがある。
【０００３】
ヘリカルスキャン方式の磁気記録装置において、装置内部の湿度が外部の湿度に比べて低い場合には、ヘッド摩耗力（ヘッドクリーニング力）が低下し、ヘッド付着（テープ汚れ、焼付け等）が発生する。これにより、出力低下、エラーレート劣化等が発生する。一方、装置内部の湿度が外部の湿度に比べて高い場合には、ヘッド摩耗力が高くなり、ヘッドの寿命が短くなる。
【０００４】
そこで、従来では、装置内部の湿度を下げることができる磁気記録装置としては、下記特許文献１のものが提案されている。また、装置内部の湿度を上昇させることができる磁気記録装置としては、下記特許文献２に示すものが提案されている。
【０００５】
【特許文献１】特開平１０−２１６８１号公報
【特許文献２】特開平１０−４９８０２号公報
【発明の開示】
【発明が解決しようとする課題】
【０００６】
しかし、上記特許文献１に記載された磁気記録装置は、使用環境に起因して装置内部の湿度が低くなった場合に、湿度を上昇させることができなかった。また、上記特許文献２に記載された磁気記録装置は、使用環境に起因して装置内部の湿度が高くなった場合に、湿度を低減させることができなかった。このため、従来、使用環境にかかわらず適正な湿度に制御できる磁気記録装置の要望があった。
【０００７】
本発明は、上記事情に鑑みてなされたもので、その目的は、装置内部の湿度を制御することで、ヘッド摩耗力を調整でき、ヘッド付着を防止することができる磁気記録装置を提供することにある。
【課題を解決するための手段】
【０００８】
本発明の上記目的は、磁気テープに磁気記録及び磁気再生を行うための磁気記録装置であって、磁気テープに磁気記録又は磁気再生を行う磁気記録再生部と、装置の内部の湿度を測定する湿度測定部と、装置の外部から内部に空気を取り込む吸気部とを備え、吸気部には取り入れた空気を装置の内部に供給する空気口が設けられ、空気口が加湿フィルタと除湿フィルタと湿度を維持した状態で空気を通過させる通気部とで仕切られ、湿度測定部で測定された湿度に基づいて、加湿フィルタと除湿フィルタと通気部とのうちいずれかを通過する空気の流量を調整する空気量調整部が設けられていることを特徴とする磁気記録装置によって達成される。
【０００９】
上記の磁気記録装置は、湿度測定部によって測定された磁気記録装置の内部の湿度に基づいて、空気量調整部を制御し、吸気部の空気口における加湿フィルタと除湿フィルタと通気部とのうちいずれかを通過する空気量を調整することができる。つまり、装置の湿度が低い場合には、空気量調整部を制御して加湿フィルタを通過する空気量を多くすることで、装置の内部の湿度を上昇させることができる。また、装置の湿度が高い場合には、空気量調整部を制御して除湿フィルタを通過する空気量を多くすることで、装置の内部の湿度を低減させることができる。さらに、装置の内部の湿度が適正である場合には、空気量調整部を制御して取り入れた空気が通気部を通過するようにすることで、装置の内部の湿度を維持することができる。このように、上記の磁気記録装置は、使用環境が変化しても、装置の内部の湿度を常に適正な湿度になるように調整することができ、磁気ヘッドの摩耗力を適正に維持し、また、ヘッド付着を防止することができる。
【００１０】
また、本発明の上記目的は、磁気テープに磁気記録及び磁気再生を行う際に、磁気記録装置の内部の湿度を調整する磁気記録方法であって、磁気記録装置の内部の湿度を測定し、磁気記録装置の外部から取り入れた空気を、加湿フィルタと除湿フィルタと湿度を維持した状態で空気を通過させる通気部とで仕切られた空気口から吸気するとともに、測定された湿度に基づいて、加湿フィルタと除湿フィルタと通気部とのそれぞれから吸気する空気の流量を調整して磁気記録装置の内部の湿度を調整することを特徴とする磁気記録方法によって達成される。
【００１１】
上記の磁気記録方法は、測定された磁気記録装置の内部の湿度に基づいて、吸気部の空気口における加湿フィルタと除湿フィルタと通気部とのうちいずれかを通過する空気量を調整することができる。このため、使用環境が変化しても、装置の内部の湿度を常に適正な湿度になるように調整することができ、磁気ヘッドの摩耗力を適正に維持し、また、ヘッド付着を防止することができる。
【発明の効果】
【００１２】
本発明によれば、装置内部の湿度を制御することで、ヘッド摩耗力を調整でき、ヘッド付着を防止することができる磁気記録装置を提供できる。
【発明を実施するための最良の形態】
【００１３】
以下、本発明の実施形態を図面に基づいて詳しく説明する。
図１は、本発明に係る磁気記録装置の一実施形態を示す構成図である。図１に示すように、磁気記録装置１０は筐体１１を有している。筐体１１の内部には、該筐体１１の外部から装填された磁気カセットケース１を収容し、図示しないローデング機構によって磁気カセットケース１から引き出された磁気テープＴに磁気情報を書き込む磁気記録と磁気テープＴに書き込まれた磁気情報を読み出す磁気再生を行う磁気記録再生部１２が設けられている。また、筐体１１の内部には、磁気記録又は磁気再生時に、走行する磁気テープＴを上記磁気記録再生部１２へ案内するとともに、磁気テープＴの走行する位置を規制するテープガイド部１３とが設けられている。
【００１４】
磁気記録再生部１２は、ヘリカルスキャン方式を採用したもので、円筒形の磁気ヘッドを回転させ、走行する磁気テープＴへの磁気記録及び磁気再生を行う構成を有している。
【００１５】
磁気記録装置１０の筐体１１には、吸気口１１ａと排気口１１ｂとが設けられている。  磁気記録再生装置１０は、吸気口１１ａから筐体１１の外部から空気を取り入れ、この取り入れた空気を筐体１１の内部で循環させて排気口１１ｂから排出することで、磁気記録装置１０の内部の湿度を調整する構成である。
【００１６】
本実施形態の磁気記録装置１０には、筐体１１の内部において磁気記録再生部１２の近傍に湿度測定部として機能する湿度計１４が設けられている。また、筐体１１の内側において、吸気口１１ａには吸気部１５が設けられている。
【００１７】
図２は、本実施系他の磁気記録装置の吸気部を示す説明図である。図１及び図２に示すように、吸気部１５には、筐体１１の内部に臨んで開口する空気口１５ａが設けられている。空気口１５ａは、筐体１１の内部に向ってそれぞれ空気を通過させることができるように、複数（本実施形態では３個）の区域に仕切られている。
【００１８】
本実施形態では、空気口１５ａは、加湿フィルタ１６ａと、除湿フィルタ１６ｂと、取り入れた空気の湿度を維持した状態で空気を通過させる通気部１６ｃとによって仕切られている。しかし、空気口１５ａに配置される加湿フィルタ１６ａ，除湿フィルタ１６ｂ及び通気部１６ｃは、各個数や各フィルタの配置や各区域の寸法は特に限定されない。例えば、使用環境に応じて、加湿フィルタ１６ａの区域を除湿フィルタ１６ｂの区域より大きくしてもよいし、その数を増やしてもよい。
【００１９】
加湿フィルタとしては、例えば、吸水性の高いスポンジを備え、このスポンジに取り入れた空気を触れさせることで、該空気の湿度を高くする構成ものを用いることができる。  除湿フィルタとしては、例えば、シリカゲルを備え、取り入れた空気をこのシリカゲルに触れさせることで、該空気の湿度を低くするものを用いることができる。
【００２０】
また、本実施形態の磁気記録装置１０において、吸気部１５には加湿フィルタ１６ａ，除湿フィルタ１６ｂ及び通気部１６ｃのうちいずれかを通過する空気の流量を調整する空気量調整部１７が設けられている。本実施形態において、空気量調整部１７として、加湿フィルタ１６ａ，除湿フィルタ１６ｂ及び通気部１６ｃにおいて、空気を取り入れる側にそれぞれ設けられた開閉可能な弁１７ａ，１７ｂ，１７ｃが用いられている。
【００２１】
吸気部１５の弁１７ａ，１７ｂ及び１７ｃは、後述する制御部によって、湿度測定部（湿度計１４）で測定された磁気記録装置１０の内部の湿度に基づいてそれぞれ独立に開閉するように制御される。
【００２２】
図３は、本実施形態の磁気記録装置の制御系を示すブロック図である。
図１から図３に示すように、磁気記録装置１０は、湿度測定部（本実施形態では湿度計）１４で測定された湿度を湿度データとして制御部３１に入力する。制御部３１は、入力された湿度データを磁気記録装置１０の内部の湿度の適正値と比較し、装置内部の実際の湿度が適正値になるように、空気量調整部（弁）１７を制御して加湿フィルタ１６ａ，除湿フィルタ１６ｂ，通気部１６ｃのうちいずれかに通過させる空気の流量を決定する。そして、決定された空気の流量に応じて通過させる区域（加湿フィルタ１６ａ又は除湿フィルタ１６ｂ又は通気部１６ｃ）の弁１７ａ，１７ｂ，１７の開放する度合を調整する。このとき、弁を閉じた状態にすると、該弁によって閉ざされた区域には空気が通過しないようになる。例えば、装置内部が高湿度であるとき、加湿フィルタ１６ａの弁１７ａを閉じて加湿フィルタ１６ａを空気が通過しないようにする。また、弁の開放の度合によって各区域を通過する空気の流量を調整して湿度の上昇や低減の度合を設定できる。      
【００２３】
次に、図１から図４を参照して、本発明に係る磁気記録方法の手順を説明する。図４は、本発明に係る磁気記録方法の手順を説明するフロー図である。
この磁気記録方法では、磁気テープＴに磁気記録再生部１２によって磁気記録及び磁気再生を行う際に、磁気記録装置の内部の湿度を調整するものである。
【００２４】
先ず、湿度測定部１４によって磁気記録装置１０の内部の湿度を測定する（ステップＳ１０１）。そして、この測定された湿度の値（測定値）を制御部３１に入力し、制御部３１において、湿度の測定値が予め設定された湿度の値（適正値）と比較して適正であるか判断し（ステップＳ１０２）、適正である場合には、湿度の設定が必要でないと判断し、空気量調整部１７を制御して弁１７ｃを開放した状態とするとともに、弁１７ａ，１７ｂを閉じた状態とし、除湿フィルタ１６ａ及び除湿フィルタ１６ｂに空気が通過しないように規制する。すると、吸気口１１ａから取り入れられた空気が通気部１６ｃにのみ通過するようになり、磁気記録装置１０の内部の湿度が維持される。
【００２５】
制御部３１において、湿度の測定値が適正値と比較して適正でない場合には、この測定値が適正値に対して大きいか否かを判別し（ステップＳ１０３）、湿度の測定値が適正値より大きい場合には、空気量調整部１７を制御して湿度を低減させる制御を行い（ステップＳ１０４）、湿度の調整を終了する。一方、湿度の測定値が適正値より小さい場合には、空気量調整部１７を制御して湿度を上昇させる制御を行い（ステップＳ１０５）、湿度の調整を終了する。
【００２６】
本実施形態では、湿度を低減させる制御を行う場合には、空気量調整部１７を制御して弁１７ｂを開放した状態とするとともに、弁１７ａ，１７ｃを閉じた状態とし、加湿フィルタ１６ａ及び通気部１６ｃに空気が通過しないように規制する。すると、吸気口１１ａから取り入れられた空気が除湿フィルタ１６ｂにのみ通過するようになり、磁気記録装置１０の内部の湿度が下がる。また、湿度を上昇させる制御を行う場合には、空気量調整部１７を制御して弁１７ａを開放した状態とするとともに、弁１７ｂ，１７ｃを閉じた状態とし、除湿フィルタ１６ｂ及び通気部１６ｃに空気が通過しないように規制する。すると、吸気口１１ａから取り入れられた空気が加湿フィルタ１６ａにのみ通過するようになり、磁気記録装置１０の内部の湿度が上昇する。
【００２７】
本実施形態の磁気記録装置１０は、湿度測定部１４によって測定された磁気記録装置１０の内部の湿度に基づいて、空気量調整部１７を制御し、吸気部１５の空気口１５ａにおける加湿フィルタ１６ａと除湿フィルタ１６ｂと通気部１６ｃとのうちいずれかを通過する空気量を調整することができる。つまり、装置の湿度が低い場合には、空気量調整部１７を制御して加湿フィルタ１６ａを通過する空気量を多くすることで、装置の内部の湿度を上昇させることができる。また、装置の湿度が高い場合には、空気量調整部１７を制御して除湿フィルタ１６ｂを通過する空気量を多くすることで、装置の内部の湿度を低減させることができる。さらに、磁気記録装置１０の内部の湿度が適正である場合には、空気量調整部１７を制御して取り入れた空気が通気部１６ｃを通過するようにすることで、磁気記録装置１０の内部の湿度を維持することができる。このように、上記の磁気記録装置１０は、使用環境が変化しても、内部の湿度を常に適正な湿度になるように調整することができ、磁気ヘッドの摩耗力を適正に維持し、また、ヘッド付着を防止することができる。また、本実施形態の磁気記録方法によれば、測定された磁気記録装置１０の内部の湿度に基づいて、吸気部１５の空気口１５ａにおける加湿フィルタ１６ａと除湿フィルタ１６ｂと通気部１６ｃとのうちいずれかを通過する空気量を調整することができる。このため、使用環境が変化しても、磁気記録装置１０の内部の湿度を常に適正な湿度になるように調整することができ、磁気ヘッドの摩耗力を適正に維持し、また、ヘッド付着を防止することができる。
【図面の簡単な説明】
【００２８】
【図１】本発明に係る磁気記録装置の一実施形態を示す構成図である。
【図２】磁気記録装置の吸気部を示す説明図である。
【図３】磁気記録装置の制御系を示すブロック図である。
【図４】磁気記録方法の手順を説明するフロー図である。
【符号の説明】
【００２９】
１      磁気カセットケース
１０    磁気記録装置
１２    磁気記録再生部
１４    湿度計（湿度測定部）
１５    吸気部
１６ａ  加湿フィルタ
１６ｂ  除湿フィルタ
１６ｃ  通気部
１７    空気量調整部
Ｔ      磁気テープ
【図１】
2005302218.tif 000003
【図２】
2005302218.tif 000004
【図３】
2005302218.tif 000005
【図４】
2005302218.tif 000006